(57)【要約】【課題】リードインエリアに迅速に、かつ、正確にアクセスすることができるようにする。【解決手段】本発明に係る光ディスク装置１においては、ＣＰＵ２６は、リードインエリアに隣接する第１のエリアにおけるＰＰ信号を取得し、光ピックアップ４およびスレッドモータ制御回路１７などを制御し、ビームスポットの半径位置を移動し、ビームスポットの移動位置におけるＰＰ信号を取得し、取得された第１のエリアにおけるＰＰ信号と、取得された移動位置におけるＰＰ信号との振幅の差が予め設定された所定の基準値よりも大きいか否かを判定し、判定結果に基づいて、ビームスポットの半径位置がリードインエリアと第１のエリアとの境界近傍に存在するか否かを認識し、認識結果に従い、光ピックアップ４およびスレッドモータ制御回路１７などを制御し、ビームスポットの半径位置をリードインエリアの所定の位置に移動する。【選択図】  図１
2008186514.tif 000002
【特許請求の範囲】
【請求項１】
ディスクに予め設けられたリードインエリアに隣接する第１のエリアにおけるプッシュプル信号、ＤＰＤ信号、またはトラッキングエラー信号を取得する第１の取得手段と、
ビームスポットの半径位置を移動する第１の移動手段と、
前記第１の移動手段により移動された前記ビームスポットの移動位置におけるプッシュプル信号、ＤＰＤ信号、またはトラッキングエラー信号を取得する第２の取得手段と、
前記第１の取得手段により取得された前記第１のエリアにおけるプッシュプル信号、ＤＰＤ信号、またはトラッキングエラー信号と、前記第２の取得手段により取得された前記移動位置におけるプッシュプル信号、ＤＰＤ信号、またはトラッキングエラー信号との振幅の差が予め設定された所定の基準値よりも大きいか否かを判定する判定手段と、
前記判定手段による判定結果に基づいて、前記ビームスポットの半径位置が前記リードインエリアと前記第１のエリアとの境界近傍に存在するか否かを認識する認識手段と、
前記認識手段による認識結果に従い、ビームスポットの半径位置を前記リードインエリアの所定の位置に移動する第２の移動手段とを備えることを特徴とする光ディスク装置。
【請求項２】
前記第１のエリアは、バーストカッティングエリアまたはデータエリアであることを特徴とする請求項１に記載の光ディスク装置。
【請求項３】
前記第１の取得手段または第２の取得手段により前記第１のエリアまたは前記移動位置におけるプッシュプル信号、ＤＰＤ信号、またはトラッキングエラー信号を取得する際に、青レーザまたは赤レーザを用いることを特徴とする請求項１に記載の光ディスク装置。
【請求項４】
前記第１のエリアはバーストカッティングエリアであり、
前記第１の取得手段または第２の取得手段により前記第１のエリアまたは前記移動位置におけるトラッキングエラー信号を取得する際に、ＬＰＦを用いることを特徴とする請求項１に記載の光ディスク装置。
【請求項５】
前記第２の移動手段によりビームスポットの半径位置が移動される前記リードインエリアの所定の位置は、前記リードインエリアの中心近傍であることを特徴とする請求項１に記載の光ディスク装置。
【請求項６】
ディスクに予め設けられたリードインエリアに隣接する第１のエリアにおけるプッシュプル信号、ＤＰＤ信号、またはトラッキングエラー信号を取得する第１の取得ステップと、
ビームスポットの半径位置を移動する第１の移動ステップと、
前記第１の移動ステップの処理により移動された前記ビームスポットの移動位置におけるプッシュプル信号、ＤＰＤ信号、またはトラッキングエラー信号を取得する第２の取得ステップと、
前記第１の取得ステップの処理により取得された前記第１のエリアにおけるプッシュプル信号、ＤＰＤ信号、またはトラッキングエラー信号と、前記第２の取得ステップの処理により取得された前記移動位置におけるプッシュプル信号、ＤＰＤ信号、またはトラッキングエラー信号との振幅の差が予め設定された所定の基準値よりも大きいか否かを判定する判定ステップと、
前記判定ステップの処理による判定結果に基づいて、前記ビームスポットの半径位置が前記リードインエリアと前記第１のエリアとの境界近傍に存在するか否かを認識する認識ステップと、
前記認識ステップの処理による認識結果に従い、ビームスポットの半径位置を前記リードインエリアの所定の位置に移動する第２の移動ステップとを含むことを特徴とする光ディスク記録再生方法。
【発明の詳細な説明】
【技術分野】
【０００１】
本発明は光ディスク装置および光ディスク記録再生方法に係り、特に、リードインエリアにアクセスすることができるようにした光ディスク装置および光ディスク記録再生方法に関する。
【背景技術】
【０００２】
ＣＤ（Compact Disc）、ＤＶＤ（Digital Versatile Disk）−ＲＯＭやＤＶＤ−ＲＷ、ＨＤ（High Definition）  ＤＶＤなどの種々のＤＶＤなどの光ディスクの最内周エリアあるいはその近傍には、リードインエリア（Lead-in Area）が設けられており、光ディスクの属性などに関する管理情報が予め記録されている。この管理情報を用いることにより、光ディスクが例えばＤＶＤ−ＲＯＭであるのか、ＤＶＤ−ＲＡＭであるのかなどのディスクの種類を判別することができる。
【０００３】
また、近年、ＤＶＤ（Digital Versatile Disk）−ＲＯＭやＤＶＤ−ＲＷなどの種々のＤＶＤ規格においては、不正な複製を防止するために、例えばＣＰＰＭ（Content Protection for Prerecorded Media）やＣＰＲＭ（Content Protection for Recordable Media）などの著作権保護技術が採用されるようになってきている。
【０００４】
これらの著作権保護技術では、一般的に、ディスク上の例えば最内周側などにバーストカッティングエリア（Burst Cutting Area）が設けられる。
【０００５】
このようなリードインエリアやバーストカッティングエリアが設けられた光ディスクを記録または再生する際には、これらのエリアを正確に判別する必要がある。
【０００６】
そこで、ＲＦ信号を検出しながら外周側に光ピックアップをゆっくり移動する技術が提案されている（例えば特許文献１参照）。
【０００７】
特許文献１に提案されている技術によれば、ディスクの最内周のバーストカッティングエリアから正確にリードインエリアにアクセスすることができる。
【特許文献１】特開２００５−１６６１２５号公報
【発明の開示】
【発明が解決しようとする課題】
【０００８】
しかしながら、特許文献１に提案されている技術では、ディスクの最内周のバーストカッティングエリアから正確にリードインエリアにアクセスすることができるが、例えば光ピックアップを外周側に移動させる場合、リードインエリアやバーストカッティングエリアの境界を必ず見つけ出す必要があるため、ある程度余裕（マージン）をもって外周側に移動させなければならず、リードインエリアへのアクセス時に無駄が多いという課題があった。
【０００９】
本発明は、このような状況に鑑みてなされてものであり、リードインエリアに迅速に、かつ、正確にアクセスすることができる光ディスク装置および光ディスク記録再生方法を提供することを目的とする。
【課題を解決するための手段】
【００１０】
本発明の光ディスク装置は、上述した課題を解決するために、ディスクに予め設けられたリードインエリアに隣接する第１のエリアにおけるプッシュプル信号、ＤＰＤ信号、またはトラッキングエラー信号を取得する第１の取得手段と、ビームスポットの半径位置を移動する第１の移動手段と、第１の移動手段により移動されたビームスポットの移動位置におけるプッシュプル信号、ＤＰＤ信号、またはトラッキングエラー信号を取得する第２の取得手段と、第１の取得手段により取得された第１のエリアにおけるプッシュプル信号、ＤＰＤ信号、またはトラッキングエラー信号と、第２の取得手段により取得された移動位置におけるプッシュプル信号、ＤＰＤ信号、またはトラッキングエラー信号との振幅の差が予め設定された所定の基準値よりも大きいか否かを判定する判定手段と、判定手段による判定結果に基づいて、ビームスポットの半径位置がリードインエリアと第１のエリアとの境界近傍に存在するか否かを認識する認識手段と、認識手段による認識結果に従い、ビームスポットの半径位置をリードインエリアの所定の位置に移動する第２の移動手段とを備えることを特徴とする。
【００１１】
本発明の光ディスク記録再生方法は、上述した課題を解決するために、ディスクに予め設けられたリードインエリアに隣接する第１のエリアにおけるプッシュプル信号、ＤＰＤ信号、またはトラッキングエラー信号を取得する第１の取得ステップと、ビームスポットの半径位置を移動する第１の移動ステップと、第１の移動ステップの処理により移動されたビームスポットの移動位置におけるプッシュプル信号、ＤＰＤ信号、またはトラッキングエラー信号を取得する第２の取得ステップと、第１の取得ステップの処理により取得された第１のエリアにおけるプッシュプル信号、ＤＰＤ信号、またはトラッキングエラー信号と、第２の取得ステップの処理により取得された移動位置におけるプッシュプル信号、ＤＰＤ信号、またはトラッキングエラー信号との振幅の差が予め設定された所定の基準値よりも大きいか否かを判定する判定ステップと、判定ステップの処理による判定結果に基づいて、ビームスポットの半径位置がリードインエリアと第１のエリアとの境界近傍に存在するか否かを認識する認識ステップと、認識ステップの処理による認識結果に従い、ビームスポットの半径位置をリードインエリアの所定の位置に移動する第２の移動ステップとを含むことを特徴とする。
【００１２】
本発明の光ディスク装置においては、ディスクに予め設けられたリードインエリアに隣接する第１のエリアにおけるプッシュプル信号、ＤＰＤ信号、またはトラッキングエラー信号が取得され、ビームスポットの半径位置が移動され、移動されたビームスポットの移動位置におけるプッシュプル信号、ＤＰＤ信号、またはトラッキングエラー信号が取得され、取得された第１のエリアにおけるプッシュプル信号、ＤＰＤ信号、またはトラッキングエラー信号と、第２の取得手段により取得された移動位置におけるプッシュプル信号、ＤＰＤ信号、またはトラッキングエラー信号との振幅の差が予め設定された所定の基準値よりも大きいか否かが判定され、判定結果に基づいて、ビームスポットの半径位置がリードインエリアと第１のエリアとの境界近傍に存在するか否かが認識され、認識結果に従い、ビームスポットの半径位置がリードインエリアの所定の位置に移動される。
【００１３】
本発明の光ディスク記録再生方法においては、ディスクに予め設けられたリードインエリアに隣接する第１のエリアにおけるプッシュプル信号、ＤＰＤ信号、またはトラッキングエラー信号が取得され、ビームスポットの半径位置が移動され、移動されたビームスポットの移動位置におけるプッシュプル信号、ＤＰＤ信号、またはトラッキングエラー信号が取得され、取得された第１のエリアにおけるプッシュプル信号、ＤＰＤ信号、またはトラッキングエラー信号と、第２の取得手段により取得された移動位置におけるプッシュプル信号、ＤＰＤ信号、またはトラッキングエラー信号との振幅の差が予め設定された所定の基準値よりも大きいか否かが判定され、判定結果に基づいて、ビームスポットの半径位置がリードインエリアと第１のエリアとの境界近傍に存在するか否かが認識され、認識結果に従い、ビームスポットの半径位置がリードインエリアの所定の位置に移動される。
【発明の効果】
【００１４】
本発明によれば、リードインエリアに迅速に、かつ、正確にアクセスすることができる。
【発明を実施するための最良の形態】
【００１５】
以下、本発明の実施の形態について、図面を参照しながら説明する。
【００１６】
図１は、本発明に係る光ディスク装置１の内部の構成を表している。
【００１７】
図１に示されるように、光ディスク装置１にはスピンドルモータ２が設けられており、スピンドルモータ２は、スピンドルモータ２に付設されるロータリエンコーダ２ａから、光ディスク３３の回転数を制御するためのＦＧパルス（回転角信号）をモータ制御回路３に出力する。モータ制御回路３は、ロータリエンコーダ２ａから入力されたＦＧパルスに基づいてスピンドルモータ２の回転数を判別し、予め設定された所定の回転数に保つように制御する。スピンドルモータ２は、モータ制御回路３の制御に従い、光ディスク３３を所定の角速度で回転させる。なお、光ディスク３３は、例えばＨＤ  ＤＶＤ−ＲＯＭやＤＶＤ−ＲＯＭのような再生専用の光ディスクあるいはＨＤ  ＤＶＤ−ＲＡＭやＤＶＤ−Ｒ、ＤＶＤ−ＲＡＭのようなユーザデータを記録可能な記録媒体である。
【００１８】
また、光ディスク装置１は、光ディスク３３に対する情報の記録と再生を光ピックアップ４により行う。光ピックアップ４は、対物レンズ５、この対物レンズ５を駆動するための駆動コイル６、７、レーザダイオード８、フロントモニタ用のフォトダイオード９、コリメータレンズ１０、偏向プリズム１１、集光レンズ１２、シリンドリカルレンズ１３、および４分割光検出器１４により構成され、レーザダイオード８から出射されるレーザ光を光ディスク３３上に照射する。
【００１９】
光ピックアップ４は、スレッドモータ１５と図示せぬギアで連結されており、このスレッドモータ１５はスレッドモータ制御回路１７により制御される。スレッドモータ制御回路１７には、光ピックアップ４の速度を検出する速度検出器１８が接続され、速度検出器１８から供給される光ピックアップ４の速度信号に基づいて、光ピックアップ４の速度を制御する。スレッドモータ１５の固定部には図示せぬ永久磁石が設けられており、スレッドモータ１５内部の駆動コイル１６がスレッドモータ制御回路１７によって励磁されることにより、光ピックアップ４が光ディスク３３の半径方向に移動する。
【００２０】
レーザ駆動回路１９は、光ピックアップ４内部のフロントモニタ用のフォトダイオード９から供給されるレーザパワー検出信号を取得し、取得されたレーザパワー検出信号に基づいて、レーザダイオード８から出射されるレーザ光のパワーを制御する。特に、後述するように記録時と再生時にそれぞれ相異なる所定のレベルに調整されて制御される。
【００２１】
レーザダイオード８から出射されるレーザ光は、光ピックアップ４のコリメータレンズ１０を介して光ディスク３３に照射される。光ディスク３３からの反射光は、光ピックアップ４内部の対物レンズ５、偏向プリズム１１、集光レンズ１２、およびシリンドリカルレンズ１３を介して４分割光検出器１４に照射される。
【００２２】
この４分割光検出器１４における検出信号は、ＲＦアンプ２０（イコライザを含む）に出力される。ＲＦアンプ２０は、４分割光検出器１４から入力された検出信号を増幅かつ整形し、フォーカスエラー信号（ＦＥ）、トラッキングエラー信号（ＴＥ）、および光検知セル信号の全加算信号（ＲＦ）をそれぞれ、フォーカシング制御回路２１、トラッキング制御回路２２、およびデータ再生回路３２に出力する。
【００２３】
また、光ディスク装置１は、インタフェース回路２４を介してホスト装置２５に接続される。このホスト装置２５からインタフェース回路２４を介して供給される命令に従い、ＣＰＵ（Central Processing Unit）２６は、ＲＯＭ（Read Only Memory）２８に記憶されているアプリケーションプログラムからＲＡＭ（Random Access Memory）２７にロードされた各種のアプリケーションプログラムに従って各種の処理を実行するとともに、種々の制御信号を生成し、各部に供給することにより光ディスク装置１を統括的に制御する。ＲＡＭ２８は、ＣＰＵ２６が各種の処理を実行する上において必要なデータなどを適宜記憶する。なお、ＣＰＵ２６、ＲＡＭ２７、およびＲＯＭ２８は、バス２３により相互に接続される。
【００２４】
さらに、光ディスク装置１は、データを連続的に入力して離散的に出力あるいはその逆の動作を行うために必要なバッファメモリ（図示せず）、信号処理によりエラー訂正を行うエラー訂正回路２９（変復調器を含む）、およびディジタル変調を行うための変調回路３０を有している。
【００２５】
ホスト装置２５からの記録データはインタフェース回路２４を介してエラー訂正回路２９に供給され、エラー訂正回路２９より出力される再生データはインタフェース回路２９を介してホスト装置２５に供給される。エラー訂正回路２９では、記録データに対して誤り訂正符号付加処理が行われ、データ再生回路３２で復調処理された再生データに対して誤り訂正処理が行われる。
【００２６】
光ディスク装置１は、さらにＰＬＬ制御回路（クロック再生回路）３１を有しており、このＰＬＬ制御回路３１には、ＲＦアンプ２０から出力された信号（ＲＦアンプ２０において周波数特性が補償されている信号）が供給される。ＰＬＬ制御回路３１は、再生データを再生する際に用いるクロックを出力する。このクロックは再生系回路（例えば、データ再生回路３２など）のシステムクロックとして用いられる。
【００２７】
光ディスク装置１は以上のような構成を有し、書き込みモードにおいては、第１に、ホスト装置２５から記録データがインタフェース回路２４およびバス２３を介してエラー訂正回路２９に供給され、エラー訂正回路２９において誤り訂正符号付加処理が実行され、その後、誤り訂正符号付加処理後の記録データが変調回路３０に供給され、変調処理が実行される。第２に、変調回路３０から供給される変調処理後の記録データがレーザ駆動回路１９に供給される。これにより、光ピックアップ４のレーザダイオード８より出射されるレーザ光が記録データに応じて光強度変調され、光ディスク３３上のデータ部（図示せず）に記録データが光記録される。
【００２８】
一方、読み出しモードにおいては、第１に、光ピックアップ４より出力される信号をＲＦアンプ２０が全加算信号（ＲＦ）としてデータ再生回路３２（復調回路を含む）に供給し、データ再生回路３２の復調回路（図示せず）において復調処理が実行され、復調処理後の全加算信号がエラー訂正回路２９に供給される。第２に、エラー訂正回路２９においては復調処理後の全加算信号に誤り訂正処理が実行される。そして、誤り訂正回路２９から供給される再生データは、バス２３およびインタフェース回路２４を介してホスト装置２５に供給される。
【００２９】
ところで、特許文献１に提案されている技術では、ディスクの最内周のバーストカッティングエリアから正確にリードインエリアにアクセスすることができるが、例えば光ピックアップ４を外周側に移動させる場合、リードインエリアやバーストカッティングエリアの境界を必ず見つけ出す必要があるため、ある程度余裕（マージン）をもって外周側に移動させなければならず、リードインエリアへのアクセス時に無駄が多かった。
【００３０】
より具体的には、図２に示されるように、光ディスク３３には少なくともデータエリア、リードインエリア、およびバーストカッティングエリアが存在するとともに、少なくとも２つの境界ＡとＢが存在する。境界Ａは、データエリアとリードインエリアとの境界を示しており、境界Ｂは、リードインエリアとバーストカッティングエリアとの境界を示している。
【００３１】
また、図２に示されるように、それぞれのエリアによってトラックピッチ（光ディスク３３の記録面において隣接するトラック間の距離）が異なり、データエリア、リードインエリア、あるいはバーストカッティングエリアで取得されるＰＰ信号（プッシュプル信号）の振幅は異なる値となる。すなわち、バーストカッティングエリア＜データエリア＜リードインエリアの順に、ＰＰ信号の振幅の値が大きくなる。
【００３２】
そこで、エリアごとに得られる異なるＰＰ信号の振幅の差を用いて、２つの境界ＡまたはＢを判別するようにする。例えばリードインエリアよりもエリアとして幅が広いデータエリアあるいはバーストカッティングエリアにおけるＰＰ信号をまず取得しておき、取得されたデータエリアあるいはバーストカッティングエリアにおけるＰＰ信号を基準として、順次得られるＰＰ信号の振幅との差が所定の基準値よりも大きいか否かを判定することで、２つの境界ＡまたはＢを判別するようにする。そして、判別された境界ＡまたはＢからリードインエリアにアクセスするようにする。これにより、リードインエリアに迅速に、かつ、正確にアクセスすることが可能となる。以下、この方法を用いた図１の光ディスク装置１におけるリードインエリアアクセス処理について説明する。このリードインエリアアクセス処理は、光ディスク３３に記録または再生する際に、リードインエリアに予め記録されている管理情報などを読み出そうとするときに、開始される。
【００３３】
ステップＳ１において、ＣＰＵ２６は、光ピックアップ４およびスレッドモータ制御回路１７などを制御し、例えば図４[Ａ]に示されるように、ビームスポットの半径位置を光ディスク３３において半径方向に移動させ、データエリアのいずれかの位置に着地させる。なお、このとき、確実にデータエリアに光ピックアップ４のビームスポットを着地させるために、余裕をもってデータエリアに移動させる。
【００３４】
ステップＳ２において、ＣＰＵ２６は、光ピックアップ４、レーザ駆動回路１９、ＲＦアンプ２０などを制御し、例えば図４［Ａ］に示される着地位置のデータエリアにおけるＰＰ信号を取得する。
【００３５】
ステップＳ３において、ＣＰＵ２６は、光ピックアップ４およびスレッドモータ制御回路１７などを制御し、例えば図４[Ａ]に示されるように、ビームスポットの半径位置を光ディスク３３において内周側の半径方向に移動させる。
【００３６】
ステップＳ４において、ＣＰＵ２６は、光ピックアップ４、レーザ駆動回路１９、ＲＦアンプ２０などを制御し、例えば図４［Ａ］に示される移動位置におけるＰＰ信号を取得する。
【００３７】
ステップＳ５において、ＣＰＵ２６は、ＲＯＭ２８に予め記憶されている所定の基準値に関するデータを読み出すとともに、読み出された所定の基準値に関するデータに基づいて、着地位置のデータエリアにおいて取得されたＰＰ信号と、例えば図４［Ａ］に示される移動位置におけるＰＰ信号との振幅の差が所定の基準値よりも大きいか否かを判定する。
【００３８】
例えば図２に示されるように、光ピックアップ４のビームスポットの半径位置を移動することで、ビームスポットの半径位置がデータエリアとリードインエリアとの境界Ａを跨ぎ、着地位置と移動位置のそれぞれで取得されたＰＰ信号との振幅の間に所定の基準値よりも大きい差が存在するか否かが判定される。換言すれば、ビームスポットの半径位置がデータエリアとリードインエリアとの境界Ａを跨いだか否かが判定される。
【００３９】
ステップＳ５において着地位置のデータエリアにおいて取得されたＰＰ信号と、移動位置におけるＰＰ信号との振幅の差が所定の基準値よりも大きいと判定された場合、ＣＰＵ２６はステップＳ６で、例えば図４［Ａ］に示されるように、ビームスポットの半径位置がリードエリアに存在すると認識する。
【００４０】
ステップＳ７において、ＣＰＵ２６は、光ピックアップ４およびスレッドモータ制御回路１７などを制御し、例えば図４[Ｂ]または［Ｃ］に示されるように、ビームスポットの半径位置を光ディスク３３において外周側の半径方向に例えば約１００μｍ移動させる。なお、一般的に、ＨＤ  ＤＶＤの場合、リードインエリアの幅は約５００μｍである。
【００４１】
勿論、それぞれの光ディスクごとに応じて好適な移動量を予め設定する。
【００４２】
これにより、データエリアとリードインエリアとの境界Ａ近傍にリードインエリア側から近づけることができる。
【００４３】
ステップＳ８において、ＣＰＵ２６は、光ピックアップ４、レーザ駆動回路１９、ＲＦアンプ２０などを制御し、例えば図４［Ｂ］または［Ｃ］に示される移動位置におけるＰＰ信号を取得する。
【００４４】
ステップＳ９において、ＣＰＵ２６は、読み出された所定の基準値に関するデータに基づいて、着地位置のデータエリアにおいて取得されたＰＰ信号と、例えば図４［Ｂ］または［Ｃ］に示される移動位置におけるＰＰ信号との振幅の差が所定の基準値よりも小さいか否かを判定する。
【００４５】
例えば図４［Ｂ］の場合、光ピックアップ４のビームスポットの半径位置が依然としてリードインエリアに存在しており、着地位置のデータエリアにおいて取得されたＰＰ信号と、例えば図４［Ｂ］に示される移動位置におけるＰＰ信号との振幅の差が所定の基準値よりも大きいと判定される。
【００４６】
一方、例えば図４［Ｃ］の場合、光ピックアップ４のビームスポットの半径位置が境界Ａ近傍のデータエリアに存在しており、着地位置のデータエリアにおいて取得されたＰＰ信号と、例えば図４［Ｂ］に示される移動位置におけるＰＰ信号との振幅の差が所定の基準値よりも小さいと判定される。
【００４７】
ステップＳ９において着地位置のデータエリアにおいて取得されたＰＰ信号と、移動位置におけるＰＰ信号との振幅の差が所定の基準値よりも小さくないと判定された場合（すなわち、着地位置のデータエリアにおいて取得されたＰＰ信号と、移動位置におけるＰＰ信号との振幅の差が所定の基準値よりも大きいと判定された場合）、処理はステップＳ６に戻り、ステップＳ６以降の同様の処理が実行される。すなわち、例えば図４［Ｂ］に示されるように、移動位置が現在の移動位置から外周側の半径方向に例えば約１００μｍ移動される。これにより、データエリアとリードインエリアとの境界Ａを跨ぐまで、繰り返し光ピックアップ４のビームスポットの半径位置がリードインエリア側からデータエリア側に向けて移動される。
【００４８】
ステップＳ９において着地位置のデータエリアにおいて取得されたＰＰ信号と、移動位置におけるＰＰ信号との振幅の差が所定の基準値よりも小さいと判定された場合、ＣＰＵ２６はステップＳ１０で、光ピックアップ４のビームスポットの半径位置が、データエリアとリードインエリアとの境界Ａを跨ぎ、境界Ａ近傍のデータエリアに存在すると認識する。
【００４９】
これにより、データエリアとリードインエリアとの境界Ａの近傍を判別し、光ピックアップ４のビームスポットの半径位置がデータエリアとリードインエリアとの境界Ａの近傍に存在することを認識することができる。
【００５０】
なお、境界Ａ近傍のデータエリアに存在する光ピックアップ４のビームスポットの半径位置をＲＡＭ２７などに記憶するようにしてもよい。
【００５１】
ステップＳ１１において、ＣＰＵ２６は、ピックアップ４およびスレッドモータ制御回路１７などを制御し例えば図４[Ｄ]に示されるように、ビームスポットの半径位置を光ディスク３３において内周側の半径方向に例えば約３００μｍ移動させ、リードインエリアの中心近傍にアクセスさせる。
【００５２】
なお、ＨＤ  ＤＶＤの場合、リードインエリアの幅が約５００μｍであり、また、データエリア側の境界Ａ近傍に現在ビームスポットの半径位置が存在することから、この位置からリードインエリアの中心近傍に移動するための移動量として５００μｍ／２＋５０μｍ（マージン）＝３００μｍが予め求められる。勿論、この値は、光ディスク３３ごとの種類に応じて変更するようにしてもよい。
【００５３】
一方、ステップＳ３の移動処理において例えば図４［Ｅ］に示されるように、光ピックアップ４のビームスポットの半径位置を移動すると、依然として、光ピックアップ４のビームスポットの半径位置はデータエリアに存在することから、ステップＳ５において着地位置のデータエリアにおいて取得されたＰＰ信号と、移動位置におけるＰＰ信号との差が所定の基準値よりも小さいと判定される。
【００５４】
ステップＳ５において着地位置のデータエリアにおいて取得されたＰＰ信号と、移動位置におけるＰＰ信号との振幅の差が所定の基準値よりも小さいと判定された場合、ＣＰＵ２６はステップＳ１２で、例えば図４［Ｅ］に示されるように、ビームスポットの半径位置がまだ依然としてデータエリアに存在すると認識する。
【００５５】
ステップＳ１３において、ＣＰＵ２６は、光ピックアップ４およびスレッドモータ制御回路１７などを制御し、例えば図４[Ｆ]または［Ｇ］に示されるように、ビームスポットの半径位置を光ディスク３３において内周側の半径方向に例えば約１００μｍ移動させる。これにより、データエリアとリードインエリアとの境界Ａ近傍にデータエリア側から近づけることができる。
【００５６】
ステップＳ１４において、ＣＰＵ２６は、光ピックアップ４、レーザ駆動回路１９、ＲＦアンプ２０などを制御し、例えば図４［Ｆ］または［Ｇ］に示される移動位置におけるＰＰ信号を取得する。
【００５７】
ステップＳ１５において、ＣＰＵ２６は、読み出された所定の基準値に関するデータに基づいて、着地位置のデータエリアにおいて取得されたＰＰ信号と、例えば図４［Ｆ］または［Ｇ］に示される移動位置におけるＰＰ信号と振幅の差が所定の基準値よりも大きいか否かを判定する。
【００５８】
例えば図４［Ｆ］の場合、光ピックアップ４のビームスポットの半径位置が依然としてデータエリアに存在しており、着地位置のデータエリアにおいて取得されたＰＰ信号と、例えば図４［Ｆ］に示される移動位置におけるＰＰ信号との振幅の差が所定の基準値よりも小さいと判定される。
【００５９】
一方、例えば図４［Ｇ］の場合、光ピックアップ４のビームスポットの半径位置が境界Ａ近傍のリードインエリアに存在しており、着地位置のデータエリアにおいて取得されたＰＰ信号と、例えば図４［Ｇ］に示される移動位置におけるＰＰ信号との振幅の差が所定の基準値よりも大きいと判定される。
【００６０】
ステップＳ１５において着地位置のデータエリアにおいて取得されたＰＰ信号と、移動位置におけるＰＰ信号との振幅の差が所定の基準値よりも大きくないと判定された場合（すなわち、着地位置のデータエリアにおいて取得されたＰＰ信号と、移動位置におけるＰＰ信号との振幅の差が所定の基準値よりも小さいと判定された場合）、処理はステップＳ１２に戻り、ステップＳ１２以降の同様の処理が実行される。すなわち、例えば図４［Ｆ］に示されるように、移動位置が現在の移動位置から内周側の半径方向に例えば約１００μｍ移動される。これにより、データエリアとリードインエリアとの境界Ａを跨ぐまで、繰り返し光ピックアップ４のビームスポットの半径位置がデータエリア側からリードインエリア側に向けて移動される。
【００６１】
ステップＳ１５において着地位置のデータエリアにおいて取得されたＰＰ信号と、移動位置におけるＰＰ信号との振幅の差が所定の基準値よりも大きいと判定された場合、ＣＰＵ２６はステップＳ１６で、光ピックアップ４のビームスポットの半径位置が、データエリアとリードインエリアとの境界Ａを跨ぎ、境界Ａ近傍のリードインエリアに存在すると認識する。
【００６２】
これにより、データエリアとリードインエリアとの境界Ａの近傍を判別し、光ピックアップ４のビームスポットの半径位置がデータエリアとリードインエリアとの境界Ａの近傍に存在することを認識することができる。
【００６３】
なお、境界Ａ近傍のリードインエリアに存在する光ピックアップ４のビームスポットの半径位置をＲＡＭ２７などに記憶するようにしてもよい。
【００６４】
ステップＳ１７において、ＣＰＵ２６は、ピックアップ４およびスレッドモータ制御回路１７などを制御し、例えば図４[Ｈ]に示されるように、ビームスポットの半径位置を光ディスク３３において内周側の半径方向に例えば約２００μｍ移動させ、リードインエリアの中心近傍にアクセスさせる。
【００６５】
なお、このときの移動量は、光ピックアップ４のビームスポットの半径位置がリードインエリア側の境界Ａ近傍に存在することから、光ピックアップ４のビームスポットの半径位置がデータエリア側の境界Ａ近傍に存在するステップＳ１１の移動処理における移動量よりも小さい値に予め設定される。
【００６６】
本発明の実施形態においては、余裕をもってデータエリアに移動させた後、その着地位置のデータエリアにおけるＰＰ信号を取得し、その後、データエリアからリードインエリアに向けて内周側の半径方向に光ピックアップ４のビームスポットの半径位置を移動させ、その移動位置におけるＰＰ信号を取得するとともに、取得された着地位置のデータエリアにおけるＰＰ信号を基準信号として、着地位置のデータエリアにおけるＰＰ信号と移動位置におけるＰＰ信号との振幅の差が所定の基準値よりも大きいか否かを判定することができる。
【００６７】
そして、着地位置のデータエリアにおけるＰＰ信号と移動位置におけるＰＰ信号との振幅の差が所定の基準値よりも大きいと判定された場合、光ピックアップ４のビームスポットの半径位置が現在、リードインエリアに存在すると認識するとともに、ビームスポットの半径位置を外周側の半径方向に移動して、データエリアとリードインエリアとの境界Ａ近傍にリードインエリア側から近づけることができる。その後、着地位置のデータエリアにおけるＰＰ信号と移動位置におけるＰＰ信号との振幅の差が所定の基準値よりも小さいか否かを判定し、着地位置のデータエリアにおけるＰＰ信号と移動位置におけるＰＰ信号との振幅の差が所定の基準値よりも小さいと判定された場合、光ピックアップ４のビームスポットの半径位置が現在、境界Ａ近傍のデータエリアに存在すると認識するとともに、ビームスポットの半径位置を内周側の半径方向に移動して、データエリア側の境界Ａ近傍からリードインエリアの中心近傍にアクセスすることができる。
【００６８】
一方、着地位置のデータエリアにおけるＰＰ信号と移動位置におけるＰＰ信号との振幅の差が所定の基準値よりも小さいと判定された場合、光ピックアップ４のビームスポットの半径位置が現在、まだデータエリアに存在すると認識するとともに、ビームスポットの半径位置を内周側の半径方向に移動して、データエリアとリードインエリアとの境界Ａ近傍にデータエリア側から近づけることができる。その後、着地位置のデータエリアにおけるＰＰ信号と移動位置におけるＰＰ信号との振幅の差が所定の基準値よりも大きいか否かを判定し、着地位置のデータエリアにおけるＰＰ信号と移動位置におけるＰＰ信号との振幅の差が所定の基準値よりも大きいと判定された場合、光ピックアップ４のビームスポットの半径位置が現在、境界Ａ近傍のリードインエリアに存在すると認識するとともに、ビームスポットの半径位置を内周側の半径方向に移動して、データエリア側の境界Ａ近傍からリードインエリアの中心近傍にアクセスすることができる。
【００６９】
これにより、光ディスク３３に存在する複数のエリアの境界を正確に判別することができ、従来、個々の光ディスク３３に生じる位置ズレに対するマージンを気にすることなく、確実に、かつ、短時間で境界を探し出すことができる。
【００７０】
従って、リードインエリアに迅速に、かつ、正確にアクセスすることができる。
【００７１】
なお、図３のフローチャートを用いて説明したリードインエリアアクセス処理においては、データエリアとリードインエリアとの境界Ａを判別した上で、リードインエリアの中心近傍にアクセスするようにした。しかし、例えばＨＤ  ＤＶＤ−ＲＯＭの場合、ピットがないためにＰＰ信号は生成されない。ＨＤ  ＤＶＤ−Ｒ／ＲＷなどではバーストカッティングエリアにランドとグルーブが存在するが、トラックピッチが異なるためＰＰ信号の振幅差は現れる。ところが、データエリアを用いると、記録領域と未記録領域によってＰＰ信号の振幅が変化してしまい、変化が生じた位置を境界Ａとして誤判定してしまう場合が考えられる。
【００７２】
そこで、記録することがないために誤判定が生じないバーストカッティングエリアを用いて、例えばリードインエリアとバーストカッティングエリアとの境界Ｂを判別した上で、リードインエリアの中心近傍にアクセスするようにしてもよい。このとき、バーストカッティングエリアにおける信号が混在しないようにＬＰＦ（Low Pass Filter）を介して低周波にのみにするようにしてもよい。勿論、青レーザ以外に赤レーザを用いるようにしてもよい。
【００７３】
また、ＨＤ  ＤＶＤの場合、リードインエリアは約５００μｍであり、トラックピッチも広く、青レーザを用いるよりも赤レーザを用いた方がＰＰ信号の差が生じやすいことから、青レーザ以外に赤レーザを用いて境界ＡまたはＢを判別するようにしてもよい。これにより、光ディスク３３に存在する複数のエリアの境界をより正確に判別することができ、従来、個々の光ディスク３３に生じる位置ズレに対するマージンを気にすることなく、より確実に、かつ、より短時間で境界を探し出すことができる。
【００７４】
また、データエリアやバーストカッティングエリアなどにおけるＰＰ信号などを基準信号としてリードインエリアを判別するようにしたが、このような場合に限られず、絶対量としてリードインエリアが判別できる場合には、その値が所定の基準値に満たさないときリードインエリアではないと判別し、所定の基準値を満たすときにはリードインエリアであると判別するようにしてもよい。これにより、データエリアやバーストカッティングエリアなどにおけるＰＰ信号などを比較対象として取得する必要がないため、より短時間で境界を探し出すことができる。
【００７５】
なお、これらの処理はスピンドルモータ２の回転変更待ちの際に行うと効果的である。
【００７６】
さらに、図３のフローチャートを参照して説明したリードインエリアアクセス処理においては、トラックピッチに応じて異なる値を示すＰＰ信号を用いて境界ＡまたはＢを判別するようにしたが、このような場合に限られず、リードインエリアにおいてはトラックピッチが広く、ＤＰＤ信号（位相差法による信号）が正常に生成される一方、データエリアにおいては記録領域と未記録領域に関わらず、トラックピッチが狭いことやピットがないため、ＤＰＤ信号が正常には生成されないことから、このＤＰＤ信号を用いて境界ＡまたはＢを判別するようにしてもよい。
【００７７】
また、トラッキング信号だけではなくＲＦ信号など他のパラメータの差を用いて判別するようにしてもよい。
【００７８】
さらに、トラックピッチの違いにより影響を受ける偏芯量が変化する境界を１回転のトラック横切り本数により判別し、これにより境界ＡまたはＢを判別するようにしてもよい。
【００７９】
すなわち、赤レーザで見た場合、リードインエリアにおいてはトラックピッチが広く、トラッキングエラー信号が正常に生成されてトラック横切り本数を正確に求めることができる一方、データエリアにおいてはトラックピッチが狭いため、トラッキングエラー信号が正常には生成されずノイズとなるため、トラック横切り本数が大幅に増え正確には求めることができないことから、このトラック横切り本数の違いを用いて境界ＡまたはＢを判別するようにしてもよい。また、青レーザで見た場合、リードインエリア、データエリアともにトラッキングエラー信号が正常に生成されてトラック横切り本数を正確に求めることができ、リードインエリアにおいてはトラックピッチが広く、データエリアにおいてはトラックピッチが狭いため、このトラック横切り本数の違いを用いて境界ＡまたはＢを判別するようにしてもよい。
【００８０】
これにより、記録領域と未記録領域によっても変化してしまうＰＰ信号よりも、より正確に境界ＡまたはＢを判別することができる。
【００８１】
なお、多層式の光ディスク３３（例えば２層式の光ディスク３３など）の場合に、例えばレーベル面に最も近い層のディスク（例えば２層式の光ディスク３３の場合、第２層目ディスク（Ｌ１））の上に光ピックアップ４のビームスポットの半径位置を着地させるときには、その下のディスク（例えば２層式の光ディスク３３の場合、第１層目ディスク（Ｌ０））のリードインエリアの中心位置近傍（または中心位置近傍からマージンのある位置）から異層間ジャンプさせて、例えばレーベル面に最も近い層のディスクのリードインエリアの中心位置近傍に直接着地させるようにしてもよい。勿論、２層以上に用いるようにしてもよい。これにより、多層式の光ディスク３３において、層間において貼り合わせによる位置ずれが多少生じている場合においても、その層でのリードインエリアに着地することができる。
【００８２】
勿論、データエリアでのビームスポットの位置のアドレス（セクタアドレス）を読み出し、そのアドレスを用いてリードインエリアの中心位置近傍における半径位置への移動量を算出し、算出された移動量を用いてリードインエリアの中心位置近傍に光ピックアップ４のビームスポットの半径位置を直接的に移動させるようにしてもよい。これにより、データエリアからリードインエリアに、より迅速に（高速に）、かつ、正確にアクセスすることができる。
【００８３】
勿論、これまで示したリードインエリアへの着地は、各層別々に調整させるようにしてもよい。
【００８４】
なお、本発明の実施形態において説明した一連の処理は、ソフトウェアにより実行させることもできるが、ハードウェアにより実行させることもできる。
【００８５】
また、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００８６】
【図１】本発明に係る光ディスク装置の内部の構成を示すブロック図。
【図２】光ディスクにおけるエリア間の境界を示す図。
【図３】図２の光ディスク装置におけるリードインエリアアクセス処理を説明するフローチャート。
【図４】光ディスクのエリア間の境界を判別する判別方法を説明する説明図。
【符号の説明】
【００８７】
１…光ディスク装置、２…スピンドルモータ、２ａ…ロータリエンコーダ、３…モータ制御回路、４…光ピックアップ、５…対物レンズ、６…駆動コイル、７…駆動コイル、８…レーザダイオード、９…フォトダイオード、１０…コリメータレンズ、１１…偏向プリズム、１２…集光レンズ、１３…シリンドリカルレンズ、１４…４分割検出器、１５…スレッドモータ、１６…駆動コイル、１７…スレッドモータ制御回路、１８…速度検出回路、１９…レーザ駆動回路、２０…ＲＦアンプ、２１…フォーカシング制御回路、２２…トラッキング制御回路、２３…バス、２４…インタフェース回路、２５…ホスト装置、２６…ＣＰＵ、２７…ＲＡＭ、２８…ＲＯＭ、２９…エラー訂正回路、３０…変調回路、３１…ＰＬＬ制御回路、３２…データ再生回路、３３…光ディスク。
【図１】
2008186514.tif 000003
【図２】
2008186514.tif 000004
【図３】
2008186514.tif 000005
【図４】
2008186514.tif 000006